(57)【要約】【課題】簡便でかつ確実にケーブルの誤接続を防止することができるケーブル誤接続防止具を提供する。【解決手段】ケーブルの端末部に取り付けられる第１識別タグと１、この第１識別タグ１に対応し、ケーブルが接続される被接続部に取り付けられる第２識別タグ２とを備えるケーブル誤接続防止具であって、第１識別タグ１又は第２識別タグ２の一方が突出部１ａを有し、他方が突出部１ａが挿入される挿入部２ａを有し、突出部１ａの先端形状と挿入部２ａの底部形状が合致する場合のみ、突出部１ａが挿入部２ａの所定の挿入位置まで挿入可能である。【選択図】図１
0003153662.tif 000002
【実用新案登録請求の範囲】
【請求項１】
ケーブルの端末部に取り付けられる第１識別タグと、
この第１識別タグに対応し、前記ケーブルが接続される被接続部に取り付けられる第２識別タグとを備えるケーブル誤接続防止具であって、
第１識別タグ又は第２識別タグの一方が突出部を有し、他方が前記突出部が挿入される挿入部を有し、
突出部の先端形状と挿入部の底部形状が合致する場合のみ、突出部が挿入部の所定の挿入位置まで挿入可能であるケーブル誤接続防止具。
【請求項２】
前記突出部の側面に形成された凸部と、前記挿入部の側壁に形成された孔部とが、前記所定の挿入位置で係合されることを特徴とする請求項１に記載のケーブル誤接続防止具。
【請求項３】
第１識別タグ及び第２識別タグは、識別情報が表示された表示部をそれぞれ備えることを特徴とする請求項１又は２に記載のケーブル誤接続防止具。
【請求項４】
前記表示部が前記凸部の上面に備えられることを特徴とする請求項３に記載のケーブル誤接続防止具。
【請求項５】
第１識別タグ、及びこれに対応する第２識別タグが同色であることを特徴とする請求項１〜４のいずれかに記載のケーブル誤接続防止具。
【考案の詳細な説明】
【技術分野】
【０００１】
本考案は、ケーブルの誤接続を防止することができるケーブル誤接続防止具に関するものである。
【背景技術】
【０００２】
現在、携帯電話は広く普及しており、携帯電話端末との間で無線通信を行うための基地局も多数設置されている。
【０００３】
基地局は、アンテナと送受信装置とを有しており、アンテナと送受信装置とは同軸ケーブルを用いて接続される。アンテナは、通常３本設置され、それぞれのアンテナに受信用接続部と送信用接続部があり、これら合計６箇所の接続部と対応する送受信装置とがそれぞれ同軸ケーブルで接続される。アンテナは、鉄塔の上部、ビルやマンション等の屋上などに設置されるため、アンテナと局舎に設置される送受信装置とは遠く離れており、接続のための同軸ケーブルは１００ｍを超える場合もある。
【０００４】
ところで、アンテナと送受信装置との接続作業の際、各ケーブルの識別が困難であり、各アンテナとこれに対応する送受信装置とが誤接続される場合があった。これらの誤接続は、携帯電話の通話不能に繋がってしまう。また、メンテナンスのためにケーブルの交換作業を行う際などは、作業時間の制約もあり、誤接続を防止しながら素早く作業を行う必要がある。
【０００５】
そのため、このようなケーブルの誤接続を防止するために、他のケーブルと識別可能なように、各ケーブルの端末部に色分けされたビニールテープを巻く方法などが用いられる。しかしながら、アンテナをビルやマンションの屋上に設置し、局舎を地上に設置する場合、ケーブルは、電源ケーブルがすでに通っている狭い空間などを通されるため、ケーブルの端末部にビニールテープを巻く方法では、作業の途中でビニールテープが剥がれて識別不能になる問題があった。
【０００６】
また、ケーブルの誤接続を防止する方法として、以下の特許文献１には、色の相違する複数の識別用帯状体をケーブルの外周面に剥離可能に、かつ、長手方向に連続して付設する方法が開示されている。具体的には、異なる色の識別用帯状体を各ケーブルから１本ずつ剥離することによって、各ケーブルを識別可能にしている。
【先行技術文献】
【特許文献】
【０００７】
【特許文献１】特開２０００−１８２４５０号公報
【考案の概要】
【考案が解決しようとする課題】
【０００８】
しかしながら、引用文献１に開示された方法も、剥離していない識別用帯状体が、作業の途中で意図せず剥がれてしまい、識別不能になる可能性がある。また、細い識別用帯状体を剥離する作業も大変である。
【０００９】
そこで、本考案の目的は、簡便でかつ確実にケーブルの誤接続を防止することができるケーブル誤接続防止具を提供することである。
【課題を解決するための手段】
【００１０】
上記の課題を解決するために、本考案に係るケーブル誤接続防止具は、
ケーブルの端末部に取り付けられる第１識別タグと、
この第１識別タグに対応し、前記ケーブルが接続される被接続部に取り付けられる第２識別タグとを備えるケーブル誤接続防止具であって、
第１識別タグ又は第２識別タグの一方が突出部を有し、他方が前記突出部が挿入される挿入部を有し、
突出部の先端形状と挿入部の底部形状が合致する場合のみ、突出部が挿入部の所定の挿入位置まで挿入可能であることを特徴とするものである。
【００１１】
かかる構成によるケーブル誤接続防止具の作用・効果を説明する。ケーブル誤接続防止具は、第１識別タグと第２識別タグとを備えており、第１識別タグはケーブルの端末部に取り付けられ、第２識別タグは第１識別タグに対応しており、ケーブルが接続される被接続部に取り付けられる。第１識別タグ又は第２識別タグの一方は突出部を有し、他方は突出部が挿入される挿入部を有しており、突出部の先端形状と挿入部の底部形状が合致する場合のみ、突出部が挿入部の所定の挿入位置まで挿入可能となっている。
【００１２】
この構成によれば、第１識別タグと第２識別タグとが対応している場合には、突出部の先端形状と挿入部の底部形状が合致し突出部が挿入部の所定の挿入位置まで挿入可能であるが、一方、第１識別タグと第２識別タグとが対応していない場合には、先端形状と底部形状が合致しなくなり突出部が挿入部の所定の挿入位置まで挿入不能となる。よって、第１識別タグをケーブルに、第１識別タグに対応する第２識別タグ２をケーブルが接続されるべき被接続部（例えば、アンテナや送受信装置等の接続部）にあらかじめ取り付けておけば、ケーブルの接続作業において、ケーブルを被接続部に接続した後、第１識別タグを第２識別タグに所定の挿入位置まで挿入可能であることを確認することで、ケーブルと被接続部の組み合わせを間違うことがなくなる。したがって、本考案のケーブル誤接続防止具によれば、簡便でかつ確実にケーブルの誤接続を防止することができる。
【００１３】
なお、第１識別タグとこれに対応する第２識別タグの組み合わせを複数準備しておき、それぞれの組み合わせごとに、突出部の先端形状と挿入部の底部形状を相違させ、突出部の先端形状と挿入部の底部形状が合致する場合のみ、突出部が挿入部の所定の挿入位置まで挿入可能となるようにすることで、複数のケーブルと複数の被接続部の誤接続を防止することができる。
【００１４】
なお、本考案のケーブル誤接続防止具は、アンテナと送受信装置との接続に使用されるケーブルに限られず、各種ケーブルの誤接続を防止するために使用することができる。また、被接続部は、送受信装置などのコネクタ部に限られず、ケーブルが接続される別のケーブルのコネクタ部などであってもよい。
【００１５】
また、ケーブルが金属やプラスチック等のパイプ管の中に配線される場合があるが、第１識別タグ及び第２識別タグを、ケーブルや被接続部に直接取り付けず、その周りのパイプ管に取り付けることでケーブルの誤接続を防止することも可能である。
【００１６】
本考案において、前記突出部の側面に形成された凸部と、前記挿入部の側壁に形成された孔部とが、前記所定の挿入位置で係合されることが好ましい。
【００１７】
この構成によれば、凸部と孔部とが所定の挿入位置で係合されるので、第１識別タグと第２識別タグとが対応している場合には、突出部が挿入部の所定の挿入位置まで挿入されて固定される。これにより、第１識別タグと対応する第２識別タグとがばらばらになることなく保管することができるとともに、第１識別タグと第２識別タグの組み合わせが正しい場合には、突出部が挿入部から容易に抜けなくなり、作業もしやすい。
【００１８】
また、突出部の凸部と挿入部の孔部の形状を、第１識別タグとこれに対応する第２識別タグとの組み合わせごとに相違させることで、上述の突出部の先端形状と挿入部の底部形状の場合と同様に、ケーブルと被接続部の組み合わせを間違うことがなくなり、ケーブルの誤接続を防止することができる。
【００１９】
本考案において、第１識別タグ及び第２識別タグは、識別情報が表示された表示部をそれぞれ備えることが好ましい。
【００２０】
この構成によれば、第１識別タグとこれに対応する第２識別タグの表示部に、同じ識別情報を表示しておくことで、第１識別タグと第２識別タグの組み合わせを容易に識別できる。
【００２１】
本考案において、前記表示部が前記凸部の上面に備えられることが好ましい。
【００２２】
識別情報が表示される表示部を、突出部の凸部の上面に備えることで、突出部の凸部と挿入部の孔部が係合された後も、孔部を通じて突出部の識別情報を外部から視認することができ、第１識別タグと第２識別タグの組み合わせを確認できる。
【００２３】
本考案において、第１識別タグ、及びこれに対応する第２識別タグが同色であることが好ましい。
【００２４】
この構成によれば、第１識別タグ、及びこれに対応する第２識別タグを同色とし、第１識別タグと第２識別タグの組み合わせごとに色を変えることで、第１識別タグとこれに対応する第２識別タグの組み合わせを容易に識別できる。
【図面の簡単な説明】
【００２５】
【図１】第１識別タグと第２識別タグの一例を示す図
【図２】第１識別タグと第２識別タグの別の組み合わせを示す図
【図３】第１識別タグと第２識別タグの別の組み合わせを示す図
【図４】第１識別タグと第２識別タグの別の組み合わせを示す図
【図５】第１識別タグと第２識別タグの別の組み合わせを示す図
【図６】第１識別タグと第２識別タグの別の組み合わせを示す図
【図７】第１識別タグ及び第２識別タグの実際の使用状況を示す図
【図８】第１識別タグと第２識別タグの別の一例を示す図
【考案を実施するための形態】
【００２６】
以下、本考案の実施の形態について、詳細に説明する。第１識別タグ１とこれに対応する第２識別タグ２の一例を図１に示す。図１（ａ）は第１識別タグ１の正面図及び下面図、図１（ｂ）は第２識別タグ２の正面図及び下面図、図１（ｃ）は第１識別タグ１と第２識別タグ２とを組み合わせた正面図である。ここでは、第１識別タグ１が突出部１ａを有し、第２識別タグ２が挿入部２ａを有する例を説明する。
【００２７】
第１識別タグ１と第２識別タグ２は、ともに全体としては板状の外観をしている。第１識別タグ１は、突出部１ａを有しており、第２識別タグ２は、突出部１ａが挿入される挿入部２ａを有している。挿入部２ａは、突出部１ａとほぼ同じサイズの空洞となっており、突出部１ａの全体を挿入することができる。
【００２８】
図１に示す突出部１ａの先端部１ｂは、一部に切り欠き１ｃを形成した形状となっている。この例では、先端部１ｂの右端に四角形の切り欠き１ｃを形成している。
【００２９】
また、図１に示す挿入部２ａの底部２ｂは、一部に段部２ｃを形成した形状となっている。この例では、底部２ｂの右端に四角形の段部２ｃを形成している。
【００３０】
突出部１ａの切り欠き１ｃと挿入部２ａの段部２ｃは同じ形状をしており、すなわち、突出部１ａの先端形状と挿入部２ａの底部形状は同じとなっている。このため、第１識別タグ１の突出部１ａの先端部１ｂは、これに対応する第２識別タグ２の挿入部２ａの最深部（底部２ｂ）まで挿入することができる。突出部１ａの先端部１ｂが挿入部２ａの底部２ｂの位置まで挿入された状態を図１（ｃ）に示す。
【００３１】
突出部１ａの先端部１ｂの形状（先端形状）と、挿入部２ａの底部２ｂの形状（底部形状）は、第１識別タグ１とこれに対応する第２識別タグ２との組み合わせごとに相違している。例えば、図１の形状の他に図２〜６に示すような形状とすることができる。具体的には、図２の例では、切り欠き１ｃと段部２ｃの位置を図１と左右を逆にしている。また、図３の例では、切り欠き１ｃと段部２ｃを２個ずつとしている。図４の例では、切り欠き１ｃと段部２ｃの位置を図３と左右を逆にしている。また、図５の例では、切り欠き１ｃを先端部１ｂの中央に設け、段部２ｃを底部２ｂの中央に設けている。また、図６の例では、切り欠き１ｃを先端部１ｂの左右にそれぞれひとつずつ設け、段部２ｃを底部２ｂの左右にそれぞれひとつずつ設けている。
【００３２】
図１〜６に示す、突出部１ａの先端形状と挿入部２ａの底部形状は、対応する第１識別タグ１と第２識別タグ２の組み合わせ以外では合致しないので、突出部１ａの先端部１ｂは、これに対応しない第２識別タグ２の挿入部２ａには最深部（底部２ｂ）まで挿入することができなくなっている。
【００３３】
突出部１ａの側面には、凸部１ｄが形成されている。凸部１ｄは、上面１ｆが矩形状をしている。また、挿入部２ａの側壁には、側壁を貫通する形で孔部２ｄが形成されている。孔部２ｄは、凸部１ｄとほぼ同じ矩形状をしている。また、凸部１ｄと孔部２ｄは、図１（ｃ）に示す突出部１ａの先端部１ｂが挿入部２ａの底部２ｂの位置まで挿入されたとき、すなわち突出部１ａが挿入部２ａの所定の挿入位置まで挿入されたときに係合される位置に形成されている。
【００３４】
また、第１識別タグ１と第２識別タグ２には、それぞれ表示部１ｅ，２ｅが形成されている。表示部１ｅ，２ｅには、文字、数字、記号などの識別情報が表示され、両表示部１ｅ，２ｅの識別情報を同じとすることで、対応する第１識別タグ１と第２識別タグ２の組み合わせが容易に識別できる。識別情報は、表示部１ｅ，２ｅにペンなどで書き込んでもよく、彫りこむようにしてもよい。なお、表示部１ｅ，２ｅに表示される識別情報は、図１〜６に示される文字に限定されない。
【００３５】
さらに、第１識別タグ１の表示部１ｅは、凸部１ｄの上面１ｆに形成されている。これにより、凸部１ｄが孔部２ｄに係合された後も、孔部２ｄを通じて表示部１ｅの識別情報を外部から視認することができる。
【００３６】
また、第１識別タグ１及び第２識別タグ２の端部には、貫通孔１ｇ，２ｇが形成されており、ケーブル、又はケーブルが接続される被接続部に取り付けるために使用される取付部材１０，２０を連結することができる（図７参照）。取付部材としては、結束バンド（ケーブルタイ）が例示されるが、ケーブルなどに取り付けた後も再び取り外しが可能であるものが好ましい。
【００３７】
＜第１識別タグと第２識別タグの使用方法＞
第１識別タグ１と、第１識別タグ１に対応する第２識別タグ２は、ケーブルと、このケーブルが接続されるべき被接続部にあらかじめ取り付けられる。そして、ケーブルの接続作業において、第１識別タグ１と第２識別タグ２の表示部を目印にケーブルを被接続部に接続した後、作業の最後に第１識別タグ１を第２識別タグ２に所定の挿入位置まで挿入し、凸部１ｄと孔部２ｄとが係合可能であることを確認する。
【００３８】
図７に、第１識別タグ１及び第２識別タグ２の実際の使用状況を示す。このように、第１識別タグ１が第２識別タグ２に所定の挿入位置まで完全に挿入されれば、ケーブル３が、これが接続されるべき被接続部４に正しく接続されていることが確認できる。
【００３９】
ところで、すでに接続されている複数のケーブルのうちから１本を被接続部から取り外して、新しいケーブルと交換する場合など、複数のケーブルの中から１本のケーブルの両端部を特定することが困難である場合がある。
【００４０】
このような場合に、複数のケーブルから１本のケーブルの両端部を特定する方法としては、通電試験機を用いる方法がある。ここでは、同軸ケーブルの場合について説明する。通電試験機は、同軸ケーブルの一端部に接続され、同軸ケーブルの一方の銅線に電気を流すことができ、この流れた電気が他方の銅線から返ってくるかを調べることができる。
【００４１】
例えば、局舎の送受信装置に接続された複数の同軸ケーブルのうちから１本を選び、その端部に通電試験機を接続する。そして、アンテナに接続された複数の同軸ケーブルのうちから１本を選び、その端部をカバーで閉塞して、送受信装置側の通電試験機から電気を流す。このとき、送受信装置側に通電試験機が接続された同軸ケーブルと、アンテナ側をカバーで閉塞された同軸ケーブルとが同一であれば、通電試験機から流れた電気は通電試験機に返ってきて光や音などが発生して作業者に知らせることができる。送受信装置側に通電試験機が接続された同軸ケーブルと、アンテナ側をカバーで閉塞された同軸ケーブルとが異なると、通電試験機から流れた電気は通電試験機に返ってこないため光や音などは発生しない。そこで、カバーを順次別の同軸ケーブルに接続していって、光や音が発生するまで繰り返して、送受信装置側に通電試験機が接続された同軸ケーブルを特定する。
【００４２】
＜別実施形態＞
第１識別タグ１及び第２識別タグ２の外観形状は、上記の実施形態に限定されず、例えば図８のような形状でもよく、適宜設計可能である。
【符号の説明】
【００４３】
１    第１識別タグ
１ａ  突出部
１ｂ  先端部
１ｄ  凸部
１ｅ  表示部
１ｆ  上面
２    第２識別タグ
２ａ  挿入部
２ｂ  底部
２ｄ  孔部
３    ケーブル
４    被接続部
【図１】
0003153662.tif 000003
【図２】
0003153662.tif 000004
【図３】
0003153662.tif 000005
【図４】
0003153662.tif 000006
【図５】
0003153662.tif 000007
【図６】
0003153662.tif 000008
【図７】
0003153662.tif 000009
【図８】
0003153662.tif 000010
【手続補正書】
【提出日】平成21年7月10日(2009.7.10)
【手続補正１】
【補正対象書類名】明細書
【補正対象項目名】００１０
【補正方法】変更
【補正の内容】
【００１０】  上記の課題を解決するために、本考案に係るケーブル誤接続防止具は、  ケーブルの端末部に取り付けられる第１識別タグと、  この第１識別タグに対応し、前記ケーブルが接続される被接続部に取り付けられる第２識別タグとを備えるケーブル誤接続防止具であって、  第１識別タグ又は第２識別タグの一方が突出部を有し、他方が前記突出部が挿入される挿入部を有し、 前記ケーブルと前記被接続部とが正しい組合せの場合に、前記突出部の先端形状と前記挿入部の底部形状とが合致する形状にされたことを特徴とするものである。
【手続補正２】
【補正対象書類名】明細書
【補正対象項目名】００１１
【補正方法】変更
【補正の内容】
【００１１】  かかる構成によるケーブル誤接続防止具の作用・効果を説明する。ケーブル誤接続防止具は、第１識別タグと第２識別タグとを備えており、第１識別タグはケーブルの端末部に取り付けられ、第２識別タグは第１識別タグに対応しており、ケーブルが接続される被接続部に取り付けられる。第１識別タグ又は第２識別タグの一方は突出部を有し、他方は突出部が挿入される挿入部を有しており、ケーブルと被接続部とが正しい組合せの場合に、突出部の先端形状と挿入部の底部形状とが合致する形状にされている。
【手続補正３】
【補正対象書類名】明細書
【補正対象項目名】００１６
【補正方法】変更
【補正の内容】
【００１６】  本考案において、前記ケーブルと前記被接続部とが正しい組合せの場合に、前記突出部の側面に形成された凸部と、前記挿入部の側壁に形成された孔部とが係合されることが好ましい。
【手続補正４】
【補正対象書類名】明細書
【補正対象項目名】００１７
【補正方法】変更
【補正の内容】
【００１７】  この構成によれば、ケーブルと被接続部とが正しい組合せの場合に、凸部と孔部とが係合されるので、第１識別タグと第２識別タグとが対応している場合には、突出部が挿入部の所定の挿入位置まで挿入されて固定される。これにより、第１識別タグと対応する第２識別タグとがばらばらになることなく保管することができるとともに、第１識別タグと第２識別タグの組み合わせが正しい場合には、突出部が挿入部から容易に抜けなくなり、作業もしやすい。
【手続補正５】
【補正対象書類名】実用新案登録請求の範囲
【補正対象項目名】全文
【補正方法】変更
【補正の内容】
【実用新案登録請求の範囲】
【請求項１】
ケーブルの端末部に取り付けられる第１識別タグと、  この第１識別タグに対応し、前記ケーブルが接続される被接続部に取り付けられる第２識別タグとを備えるケーブル誤接続防止具であって、  第１識別タグ又は第２識別タグの一方が突出部を有し、他方が前記突出部が挿入される挿入部を有し、 前記ケーブルと前記被接続部とが正しい組合せの場合に、前記突出部の先端形状と前記挿入部の底部形状とが合致する形状にされたケーブル誤接続防止具。
【請求項２】
前記ケーブルと前記被接続部とが正しい組合せの場合に、前記突出部の側面に形成された凸部と、前記挿入部の側壁に形成された孔部とが係合されることを特徴とする請求項１に記載のケーブル誤接続防止具。
【請求項３】
第１識別タグ及び第２識別タグは、識別情報が表示された表示部をそれぞれ備えることを特徴とする請求項１又は２に記載のケーブル誤接続防止具。
【請求項４】
前記表示部が前記凸部の上面に備えられることを特徴とする請求項３に記載のケーブル誤接続防止具。
【請求項５】
第１識別タグ、及びこれに対応する第２識別タグが同色であることを特徴とする請求項１〜４のいずれかに記載のケーブル誤接続防止具。